(57)【要約】【課題】被収納物を、運転席から容易に収納、取り出し等を可能とし、収納状態の被収納物の像がフロントガラスへ映ることによる運転席前方の視界不良を防止する。【解決手段】車両運転席前方のインストルメントパネル４上部に設けられ、前方へ下降傾斜し、被収納物を載置する底壁６と、底壁６の上方に設けられ、底壁６の上方空間を覆う天壁８と、直方体状物品５０を底壁６上に横長状態に載置した際の前後方向となる辺の長さだけ底壁６の後端縁より前方の位置付近にて、底壁６に対して上方に所定距離離間して設けられ、直方体状物品５０の前部側面５０ｃの上部を当接支持する係止壁１０ｂと、係止壁１０ｂより前方の位置にて、矩形のシート状物品６０を底壁６上に一辺を前後方向として載置した際の前記一辺の長さだけ底壁６の後端縁より前方の位置付近に設けられ、シート状物品６０の前端部６０ａを当接支持する前部係止壁１２と、を含んで構成した。【選択図】図１
2008049805.tif 000002
【特許請求の範囲】
【請求項１】
車両における運転席前方のインストルメントパネル上部に設けられ、前方へ向けて下降傾斜し、被収納物を載置する底壁と、
前記底壁の上方位置に設けられ、前記インストルメントパネルに支持され前記底壁の上方空間を覆う天壁と、
前記天壁に支持され、前記被収納物としての直方体状物品を前記底壁上に横長状態に載置した際の前後方向となる辺の長さだけ前記底壁の後端縁より前方の位置付近にて、前記底壁に対して上方に所定距離離間して設けられ、前記底壁上に載置される直方体状物品の前部側面の上部を当接支持する係止壁と、
前記係止壁より前方の位置にて、前記被収納物としての矩形のシート状物品を前記底壁上に一辺を前後方向として載置した際の前記一辺の長さだけ前記底壁の後端縁より前方の位置付近に設けられ、前記底壁上に載置されるシート状物品の前端部を当接支持する前部係止壁と、
を含んで構成したことを特徴とするトレイ装置。
【請求項２】
前記天壁は、前記インストルメントパネルに対して着脱可能に支持されていることを特徴とする請求項１に記載のトレイ装置。
【発明の詳細な説明】
【技術分野】
【０００１】
本発明は、車両における運転席前方のインストルメントパネルに設けられたトレイ装置に関し、詳しくは、被収納物を、運転席から容易に収納、取り出し等ができると共に、収納状態の被収納物の像がフロントガラスへ映ることによる運転席前方の視界不良を防止するトレイ装置に関する。
【背景技術】
【０００２】
従来のこの種のトレイ装置は、ステアリングコラムの横のインストルメントパネルに凹部を設けることで形成され、ポケット型（衣服のポケットに入るくらいのサイズ）の小物を収納可能となっている（例えば、非特許文献１参照）。
【非特許文献１】“アクティバントップ＞内装＞コクピット”、本田技研工業株式会社、［平成１８年６月１日検索］、インターネット＜ＵＲＬ：http://www.honda.co.jp/ACTY/van/interior/cockpit/index.html＞
【発明の開示】
【発明が解決しようとする課題】
【０００３】
しかし、上記非特許文献１に記載のトレイ装置においては、ポケット型の小物の収納用に寸法設計されているので、直方体状物品、例えばティッシュペーパーボックスを車幅方向に長い横長状態で収納したくても不可能である。
また、トレイ装置は、ティッシュペーパーボックスを、運転席から容易に収納、取り出し等（ここで、取り出し等とは、ティッシュペーパーボックスを収納状態としたまま、その中身のペーパーのみ取り出すことを含む。以下同様。）ができると共に、収納状態のティッシュペーパーボックスの像がフロントガラスへ映ることによる前方視界不良を防止することが望ましいが、このような要望に応えられるトレイ装置は提案されていなかった。
【０００４】
そこで、本発明は、このような問題点に対処し、被収納物を、運転席から容易に収納、取り出し等ができると共に、収納状態の被収納物の像がフロントガラスへ映ることによる運転席前方の視界不良を防止できるトレイ装置を提供することを目的とする。
【課題を解決するための手段】
【０００５】
上記目的を達成するために、本発明によるトレイ装置は、車両における運転席前方のインストルメントパネル上部に設けられ、前方へ向けて下降傾斜し、被収納物を載置する底壁と、前記底壁の上方位置に設けられ、前記インストルメントパネルに支持され前記底壁の上方空間を覆う天壁と、前記天壁に支持され、前記被収納物としての直方体状物品を前記底壁上に横長状態に載置した際の前後方向となる辺の長さだけ前記底壁の後端縁より前方の位置付近にて、前記底壁に対して上方に所定距離離間して設けられ、前記底壁上に載置される直方体状物品の前部側面の上部を当接支持する係止壁と、前記係止壁より前方の位置にて、前記被収納物としての矩形のシート状物品を前記底壁上に一辺を前後方向として載置した際の前記一辺の長さだけ前記底壁の後端縁より前方の位置付近に設けられ、前記底壁上に載置されるシート状物品の前端部を当接支持する前部係止壁と、を含んで構成したものである。
【０００６】
このような構成により、車両における運転席前方のインストルメントパネル上部に設けられ前方へ向けて下降傾斜する底壁により、被収納物を載置し、前記底壁の上方位置に設けられインストルメントパネルに支持された天壁により、底壁の上方空間を覆う。そして、前記天壁に支持され、被収納物としての直方体状物品を底壁上に横長状態に載置した際の前後方向となる辺の長さだけ底壁の後端縁より前方の位置付近にて、底壁に対して上方に所定距離離間して設けられた係止壁により、底壁上に載置される直方体状物品の前部側面の上部を当接支持する。さらに、前記係止壁より前方の位置にて、被収納物としての矩形のシート状物品を底壁上に一辺を前後方向として載置した際の前記一辺の長さだけ底壁の後端縁より前方の位置付近に設けられた前部係止壁により、底壁上に載置されるシート状物品の前端部を当接支持する。
【０００７】
また、天壁は、インストルメントパネルに対して着脱可能に支持されているものである。これにより、天壁は、インストルメントパネルに対して着脱可能とされる。
【発明の効果】
【０００８】
請求項１に係る発明によれば、係止壁が、直方体状物品を底壁上に横長状態に載置した際の前後方向となる辺の長さだけ底壁の後端縁より前方の位置付近にて、底壁に対して上方に所定距離離間して設けられることで、直方体状物品は、その載置位置が過度に前方とならず、後方から容易に取り出し等ができると共に、シート状物品は、その前部が底壁と係止壁との間から前方へ張り出した状態で底壁上に載置できる。また、前部係止壁が、係止壁より前方の位置にて、シート状物品を底壁上に一辺を前後方向として載置した際の前記一辺の長さだけ底壁の後端縁より前方の位置付近に設けられることで、シート状物品は、その載置位置は過度に前方とならず、後方から容易に取り出しができる。さらに、底壁が前方へ向けて下降傾斜していることで、底壁上に載置された被収納物は、後方への脱落が防止され、収納状態を安定させることができると共に、底壁が運転席前方のインストルメントパネルの上部に設けられることで、被収納物は、運転席から容易に収納、取り出し等ができる。さらに、天壁が底壁の上方空間を覆うことで、収納状態の被収納物の像がフロントガラスへ映ることによる運転席前方の視界不良を防止できる。
【０００９】
また、請求項２に係る発明によれば、インストルメントパネルに支持された天壁を取り外すことで、トレイ装置の清掃やメンテナンス等を容易に行うことができる。
【発明を実施するための最良の形態】
【００１０】
以下、本発明の実施形態を添付図面に基づいて詳細に説明する。
図１は本発明によるトレイ装置の実施形態を示す図である。このトレイ装置２は、被収納物としての直方体状物品、例えばティッシュペーパーボックス５０など、または、被収納物としてのシート状物品、例えばバインダ６０、書籍、用紙などを、車両の運転席から容易に収納、取り出し等ができるように、運転席と助手席との中間位置付近を含む運転席前方のインストルメントパネル４の上部で運転の障害とならない位置に設けられるものであり、底壁６と、天壁８と、ストッパー部材１０と、前部係止壁１２と、を備えて成る。なお、トレイ装置２の車幅方向の寸法は、インストルメントパネル４に配設される他の装置等のスペースを最低限確保できる範囲で設定される。
【００１１】
上記底壁６は、例えばティッシュペーパーボックス５０またはバインダ６０を載置するもので、運転席前方のインストルメントパネル４の上部に前方へ向けて下降傾斜して設けられている。これにより、底壁６上に載置されたティッシュペーパーボックス５０またはバインダ６０は、後方への脱落が防止され、収納状態が安定するようになっている。なお、ティッシュペーパーボックス５０は、中身であるペーパー５２の取り出し口が形成された上面５０ａに対して反対側の底面５０ｂが底壁６に下方から支持された状態で、底壁６上に載置される。ここで、底壁６の上面後部に対し、上記収納および取り出し等に影響を及ぼさない範囲で上方へ隆起した凸部６ａを形成すると、ティッシュペーパーボックス５０およびバインダ６０の後方への脱落防止に一層効果的である。
【００１２】
上記底壁６の上方位置には、天壁８が設けられている。この天壁８は、底壁６の上方空間を覆うもので、例えば、インストルメントパネル４の上面に開口した係止孔４ａに、前部から突出する突起８ａを係合することで、着脱可能にインストルメントパネル４によって支持されている。この天壁８により、収納状態のティッシュペーパーボックス５０またはバインダ６０の像がフロントガラスへ映ることによる運転席の前方視界不良を防止する。
【００１３】
上記底壁６と天壁８との間には、ストッパー部材１０が設けられている。このストッパー部材１０は、底壁６上に横長状態で載置されるティッシュペーパーボックス５０の前部側面５０ｃの上部を当接支持するもので、例えば、前後方向へ板状または棒状に延びる本体１０ａと、本体１０ａの前端縁から下方へ延びる係止壁１０ｂと、を備えて成る。前記ストッパー部材１０は、例えば、天壁８の後部から突出する突起８ｂに、本体１０ａの後部に形成された凹部１０ｃを係合することで、着脱可能に天壁８に支持され、これにより、係止壁１０ｂは、横長状態のティッシュペーパーボックス５０の前後方向の辺の長さだけ底壁６の後端縁より前方の位置付近にて、底壁６に対して上方に所定距離離間するように設けられている。ここで、上記所定距離は、ティッシュペーパーボックス５０の高さより小さく、バインダ６０の厚さより大きい距離とされている。これにより、ティッシュペーパーボックス５０は、その載置位置が過度に前方とならず運転席から容易に取り出し等ができるように、係止壁１０ｂによって当接支持される一方、バインダ６０は、その前部が底壁６と係止壁１０ｂとの間から前方へ張り出した状態で底壁６上に載置される。
【００１４】
上記係止壁１０ｂより前方の底壁６の前端縁付近には、前部係止壁１２が設けられている。この前部係止壁１２は、底壁６上に一辺を前後方向として上記張り出し状態で載置されるバインダ６０の前端部６０ａを当接支持するもので、底壁６の後端縁よりバインダ６０の前後方向の辺の長さだけ前方の位置付近にて、車幅方向に延びて形成されている。したがって、バインダ６０は、その載置位置が過度に前方とならず運転席から容易に取り出しができるように、前部係止壁１２によって当接支持される。
【００１５】
次に、このように構成されたトレイ装置２の使用について説明する。まず、ティッシュペーパーボックス５０をトレイ装置２に収納するときは、ティッシュペーパーボックス５０を、底壁６上に横長状態で載置する。このとき、係止壁１０ｂが、ティッシュペーパーボックス５０の前部側面５０ｃの上部を当接支持し、収納状態となる。この状態で、ティッシュペーパーボックス５０の載置位置が過度に前方とならず、ペーパー５２を運転席から容易に取り出すことができる。
【００１６】
また、バインダ６０をトレイ装置２に収納するときは、バインダ６０を、その前部が底壁６と係止壁１０ｂとの間から前方へ張り出した状態で、底壁６上に一辺を前後方向として載置する。このとき、前部係止壁１２が、バインダ６０の前端部６０ａを当接支持し、収納状態となる。なお、この収納状態のバインダ６０の上面６０ｂに、ティッシュペーパーボックス５０を重ねて置くことで、間接的に底壁６上に載置して収納してもよい。
【００１７】
そして、収納状態のティッシュペーパーボックス５０またはバインダ６０は、底壁６から後方へ引き出すことで、トレイ装置２から取り出される。
また、着脱可能な天壁８を取り外すことにより、トレイ装置２の清掃やメンテナンス等を容易に行える。さらに、係止壁１０ｂと前部係止壁１２との間の空間を眼鏡ケースや筆記用具など小物の収納に利用した場合に、これら小物を容易に取り出すことができる。
【図面の簡単な説明】
【００１８】
【図１】本発明の実施形態に係るトレイ装置を示す横断面図である。
【符号の説明】
【００１９】
２      トレイ装置
４      インストルメントパネル
６      底壁
８      天壁
１０    ストッパー部材
１０ｂ  係止壁
１２    前部係止壁
５０    ティッシュペーパーボックス（直方体状物品）
６０    バインダ（シート状物品）
【図１】
2008049805.tif 000003